(57)【特許請求の範囲】
【請求項１】
所定の空間領域の目標温度を設定し、前記空間領域の温度が前記目標温度に一致するように空調機器を制御する空調制御システムであって、
前記空調機器の消費エネルギーが低減する方向に前記目標温度を変更する省エネルギー制御を所定の制御開始時刻において開始する制御部と、
ユーザ操作によって前記目標温度を設定する手動操作部と、
前記省エネルギー制御を開始した後における前記空調機器の消費エネルギーに基づいて、前記制御開始時刻を設定するタイミング決定部と
を備えることを特徴とする空調制御システム。
【請求項２】
前記制御部が、所定期間内に設定された複数の制御開始時刻のそれぞれにおいて前記省エネルギー制御を開始した後、前記タイミング決定部は、前記制御開始時刻後における前記空調機器の消費エネルギーの低減量をそれぞれ算出し、以降、前記所定期間内で、この算出した前記消費エネルギーの低減量が他の少なくとも１つの前記制御開始時刻より大きい前記制御開始時刻のみにおいて、前記省エネルギー制御を開始することを特徴とする請求項１記載の空調制御システム。
【請求項３】
前記制御部が、所定期間内に設定された複数の制御開始時刻のそれぞれにおいて前記省エネルギー制御を開始した後、前記タイミング決定部は、前記制御開始時刻後における前記空調機器の消費エネルギーの低減量をそれぞれ積算し、前記所定期間内で、この積算した前記消費エネルギーの低減量が他の少なくとも１つの前記制御開始時刻より大きい前記制御開始時刻において、前記省エネルギー制御を開始することを特徴とする請求項１または２記載の空調制御システム。
【請求項４】
前記制御部が前記制御開始時刻において前記省エネルギー制御を開始した後、前記空調機器の消費エネルギーの低減量が閾値より小さい場合、前記制御部は、この制御開始時刻における前記省エネルギー制御の開始を禁止することを特徴とする請求項１乃至３いずれか記載の空調制御システム。
【請求項５】
前記制御部が前記制御開始時刻において前記省エネルギー制御を開始してから所定時間が経過するまでに、前記空調機器の消費エネルギーが前記制御開始時刻前より増大する方向に、前記手動操作部によって前記目標温度が変更された場合、前記制御部は、この制御開始時刻における前記省エネルギー制御の開始を禁止することを特徴とする請求項１乃至４いずれか記載の空調制御システム。
【発明の詳細な説明】
【技術分野】
【０００１】
本発明は、省エネルギー制御を行う空調制御システムに関するものである。
【背景技術】
【０００２】
従来、集合住宅の各住戸、一戸建て住宅、オフィス、工場等の空間領域の目標温度を設定し、空間領域の温度が目標温度に一致するように空調機器を制御する空調制御システムがある（例えば、特許文献１参照）。
【先行技術文献】
【特許文献】
【０００３】
【特許文献１】特開２０１０−１０７０７３号公報
【発明の概要】
【発明が解決しようとする課題】
【０００４】
しかしながら、空調機器の暖房動作を制御する場合、目標温度を下げ過ぎるとユーザの快適性が損なわれ、目標温度を上げ過ぎると省エネ効果が小さくなる。また、空調機器の冷房動作を制御する場合、目標温度を上げ過ぎるとユーザの快適性が損なわれ、目標温度を下げ過ぎると省エネ効果が小さくなる。したがって、空調制御において、快適性と省エネ効果とを両立させることは容易ではなかった。
【０００５】
また、省エネ制御によって快適性が損なわれたユーザは、省エネ制御に対して不快感を抱くが、この不快感の程度はユーザによって異なるため、快適性と省エネ効果との両立がさらに困難になっていた。
【０００６】
本発明は、上記事由に鑑みてなされたものであり、快適性と省エネ効果とを両立させることができる空調制御システムを提供することにある。
【課題を解決するための手段】
【０００７】
本発明の空調制御システムは、所定の空間領域の目標温度を設定し、前記空間領域の温度が前記目標温度に一致するように空調機器を制御する空調制御システムであって、前記空調機器の消費エネルギーが低減する方向に前記目標温度を変更する省エネルギー制御を所定の制御開始時刻において開始する制御部と、ユーザ操作によって前記目標温度を設定する手動操作部と、前記省エネルギー制御を開始した後における前記空調機器の消費エネルギーに基づいて、前記制御開始時刻を設定するタイミング決定部とを備えることを特徴とする。
【０００８】
この発明において、前記制御部が、所定期間内に設定された複数の制御開始時刻のそれぞれにおいて前記省エネルギー制御を開始した後、前記タイミング決定部は、前記制御開始時刻後における前記空調機器の消費エネルギーの低減量をそれぞれ算出し、以降、前記所定期間内で、この算出した前記消費エネルギーの低減量が他の少なくとも１つの前記制御開始時刻より大きい前記制御開始時刻のみにおいて、前記省エネルギー制御を開始することが好ましい。
【０００９】
この発明において、前記制御部が、所定期間内に設定された複数の制御開始時刻のそれぞれにおいて前記省エネルギー制御を開始した後、前記タイミング決定部は、前記制御開始時刻後における前記空調機器の消費エネルギーの低減量をそれぞれ積算し、前記所定期間内で、この積算した前記消費エネルギーの低減量が他の少なくとも１つの前記制御開始時刻より大きい前記制御開始時刻において、前記省エネルギー制御を開始することが好ましい。
【００１０】
この発明において、前記制御部が前記制御開始時刻において前記省エネルギー制御を開始した後、前記空調機器の消費エネルギーの低減量が閾値より小さい場合、前記制御部は、この制御開始時刻における前記省エネルギー制御の開始を禁止することが好ましい。
【００１１】
この発明において、前記制御部が前記制御開始時刻において前記省エネルギー制御を開始してから所定時間が経過するまでに、前記空調機器の消費エネルギーが前記制御開始時刻前より増大する方向に、前記手動操作部によって前記目標温度が変更された場合、前記制御部は、この制御開始時刻における前記省エネルギー制御の開始を禁止することが好ましい。
【発明の効果】
【００１２】
以上説明したように、快適性と省エネ効果とを両立させることができるという効果がある。
【図面の簡単な説明】
【００１３】
【図１】実施形態１の空調制御システムを示すブロック図である。
【図２】同上の省エネ制御を示す目標温度の遷移図である。
【図３】同上の空調制御を示すフローチャート図である。
【図４】同上の制御開始時刻の決定処理を示すフローチャート図である。
【図５】同上の拒絶制御開始時刻の設定処理を示す目標温度の遷移図である。
【図６】同上の制御開始時刻の変更処理を示すフローチャート図である。
【図７】同上の制御開始時刻の変更処理を示す目標温度の遷移図である。
【図８】実施形態２の制御開始時刻の変更処理を示すフローチャート図である。
【図９】同上の制御開始時刻の変更処理を示す目標温度の遷移図である。
【発明を実施するための形態】
【００１４】
以下、本発明の実施の形態を図面に基づいて説明する。
【００１５】
（実施形態１）
図１は、本実施形態の空調制御システムの構成を示し、空調制御装置１と、空調機器２と、電力計測部３と、手動操作部４とを備えて、所定の空間領域の目標温度を設定し、この空間領域の温度が目標温度に一致するように空調機器２を制御する。なお、空調機器２によって空調環境が制御される空間領域としては、例えば、集合住宅の各住戸、一戸建て住宅、オフィス等の各部屋、工場等が挙げられるが、これらの空間領域の形態に限定されるものではない。
【００１６】
空調制御装置１は、空調機器２および電力計測部３との間で通信可能に構成され（有線通信、無線通信のいずれでもよい）、制御部１１と、信号入力部１２と、学習記憶部１３と、タイミング決定部１４とを備える。
【００１７】
制御部１１は、目標温度データを含む温度制御信号を空調機器２へ送信する。空調機器２は、受信した温度制御信号に基づいて目標温度が設定され、空間領域内の温度が目標温度に一致するように、空調制御を行う。すなわち、制御部１１が、空調機器２の目標温度を自動設定している。
【００１８】
通常、制御部１１は、予め決められた空調制御パターンにしたがって、目標温度を設定する。例えば、冬季における空調機器２の暖房運転時、制御部１１は、ユーザの快適性を確保するために、一般に省エネルギー温度（省エネ温度）と称される「２０℃」より高い目標温度を設定する。また、夏季における空調機器２の冷房運転時、制御部１１は、ユーザの快適性を確保するために、一般に省エネ温度と称される「２８℃」より低い目標温度を設定する。
【００１９】
空調機器２は、上記のようにユーザの快適性を確保した目標温度が設定された場合、結果として、消費電力が大きくなる。以降、このユーザの快適性を確保した空調制御を通常制御と称す。
【００２０】
また、この目標温度設定は、制御部１１による自動制御だけでなく、手動操作部４を用いたユーザによる手動設定も可能である。手動操作部４は、空調機器２との間で通信可能に構成されており、ユーザ操作による目標温度データを含む温度制御信号を空調機器２へ送信する。空調機器２は、受信した温度制御信号に基づいて目標温度が設定され、空間領域内の温度が目標温度に一致するように、空調制御を行う。すなわち、手動操作部４が、空調機器２の目標温度を手動設定している。
【００２１】
そして、制御部１１は、決まった時刻（制御開始時刻）において、空調機器２の消費電力（消費エネルギー）が低減する方向に、空調機器２の目標温度を変更する。空調機器２の暖房運転時には、例えば、省エネ温度「２０℃」より低い「１８℃」の目標温度データを含む温度制御信号を送信する。空調機器２の冷房運転時には、例えば、省エネ温度「２８℃」より高い「３０℃」の目標温度データを含む温度制御信号を送信する。以降、この目標温度を強制的に省エネ方向に変更する空調制御を省エネルギー制御（省エネ制御）と称す。
【００２２】
このように、制御部１１は、目標温度を強制的に省エネ方向に変更することによって、空調機器２の消費電力を低減させる省エネ制御を、予め決められた制御開始時刻に実行する。
【００２３】
図２は、空調機器２の暖房運転時における省エネ制御を示す。制御開始時刻ｔ１以前、制御部１１は、目標温度を省エネ温度「２０℃」より高いＴｍ１に設定して通常制御を行い、ユーザの快適性を確保している。そして、制御部１１は、予め決められた制御開始時刻ｔ１に、目標温度を省エネ温度「２０℃」より低いＴｍ２に変更して省エネ制御を行い、空調機器２の消費電力を低減させる。
【００２４】
そして、制御開始時刻ｔ１以降、ユーザが省エネ制御に対して不快であると感じると、ユーザは、手動操作部４によって目標温度をＴｍ２からＴｍ３に引き上げる（ユーザ操作時刻ｔ２）。以降、制御開始時刻ｔ１からユーザ操作時刻ｔ２までの期間を省エネ制御期間Ｗ１と称し、ユーザ操作時刻ｔ２以降の期間をユーザ操作期間Ｗ２と称す。
【００２５】
ユーザの手動操作によって引き上げられた目標温度Ｔｍ３は、省エネ制御時の目標温度Ｔｍ２より高いが、一般に、制御部１１による通常制御時の目標温度Ｔｍ１より低くなることが多い。なお、目標温度Ｔｍ３の引き上げ幅Ｔａは、ユーザの空調環境に対する好みによって異なる。
【００２６】
このような空調制御を行うことによって、省エネ制御期間Ｗ１およびユーザ操作期間Ｗ２における目標温度Ｔｍ２，Ｔｍ３は、制御部１１の通常制御時の目標温度Ｔｍ１より低くなる。したがって、制御開始時刻ｔ１以降における空調機器２の消費電力は、通常制御を行う場合に比べて低減する。
【００２７】
しかしながら、目標温度を変更して省エネ制御を行ったとしても、この省エネ制御によって快適性が損なわれたユーザは、省エネ制御に対して不快感を抱く場合がある。一般に、この省エネ制御に対するユーザの不快感は、ユーザの空調環境に対する好み、季節、天候、気温、湿度、空間領域内の人数等によって変動する。
【００２８】
例えば、冬季の昼間は、夜間に比べて暖かく、空調機器２の省エネ制御に対する不快感が小さい。また、冬季において、部屋内の人数が多い時間帯も、空調機器２の省エネ制御に対する不快感が小さい。また、夏季の夜間は、昼間に比べて涼しく、空調機器２の省エネ制御に対する不快感が小さい。また、夏季において、部屋内の人数が少ない時間帯も、空調機器２の省エネ制御に対する不快感が小さい。また、この不快感の感じ方には、ユーザによって個人差がある。
【００２９】
このように、省エネ制御の制御開始時刻ｔ１の時刻設定によって、省エネ制御に対してユーザが感じる不快感が変動する。そして、省エネ制御に対するユーザの不快感が大きいほど、ユーザ操作時刻ｔ２が早くなるので、省エネ制御期間Ｗ１の時間長さが短くなり、さらには目標温度Ｔｍ３の引き上げ幅Ｔａが大きくなる。つまり、ユーザの不快感が大きい場合、省エネ制御による消費電力の低減量が小さく、省エネ制御による省エネ効果は小さくなる。
【００３０】
そこで、空調制御装置１のタイミング決定部１４は、図３のフローチャートに示すように、省エネ制御によるユーザの不快感が小さく、省エネ効果が大きい（消費電力の低減量が大きい）制御開始時刻ｔ１を設定する（Ｓ１）。以降、制御部１１は、タイミング決定部１４によって設定された制御開始時刻ｔ１に、目標温度をＴｍ２に変更する省エネ制御を行う（Ｓ２）。そして、このタイミング決定部１４による制御開始時刻ｔ１の設定処理を定期的に実行することにより、季節、天候、気温、湿度、空間領域内の人数等に応じて、ユーザの不快感が小さく、省エネ効果が大きい制御開始時刻ｔ１に随時更新することができる。
【００３１】
以下、ステップＳ１で実行される制御開始時刻ｔ１の決定処理について、図４のフローチャートを用いて説明する。
【００３２】
まず、制御部１１は、所定時刻において、目標温度を通常制御時のＴｍ１に維持した状態からＴｍ２に変更する省エネ制御の温度制御信号を送信する（Ｓ１１）。以降、制御開始時刻ｔ１の決定処理を行うために制御部１１が送信する省エネ制御の温度制御信号を、第１の学習信号と称す。
【００３３】
そして、この第１の学習信号による制御開始時刻ｔ１から省エネ制御が行われた後、ユーザが省エネ制御に対して不快であると感じると、ユーザは、手動操作部４によって目標温度をＴｍ２からＴｍ３に引き上げる（ユーザ操作時刻ｔ２）。手動操作部４によって手動設定された目標温度Ｔｍ３のデータは、ユーザ操作時刻ｔ２のデータとともに、空調機器２から空調制御装置１の信号入力部１２へ送信される（Ｓ１２）。学習記憶部１３は、ユーザ操作時刻ｔ２および目標温度Ｔｍ３の各データを、制御開始時刻ｔ１のデータに対応付けて格納する（Ｓ１３）。
【００３４】
そして、タイミング決定部１４は、学習記憶部１３に格納している各データ（制御開始時刻ｔ１、ユーザ操作時刻ｔ２、目標温度Ｔｍ２，Ｔｍ３）に基づいて、省エネ制御期間Ｗ１の時間長さ、目標温度Ｔｍ３の引き上げ幅Ｔａを導出できる。したがって、タイミング決定部１４は、第１の学習信号によって実行された省エネ制御による省エネ効果を、省エネ制御期間Ｗ１の時間長さ、目標温度Ｔｍ３の引き上げ幅Ｔａに基づいて導出できる。この場合、省エネ制御期間Ｗ１の時間長さが長く、目標温度Ｔｍ３の引き上げ幅Ｔａが小さいほど、省エネ効果が大きくなる。
【００３５】
例えば、省エネ制御期間Ｗ１での省エネ効果は、Ｗ１×（Ｔｍ１−Ｔｍ２）で求めることができる。ユーザ操作期間Ｗ２での省エネ効果は、｛Ｗ２×（Ｔｍ１−Ｔｍ２）｝−｛Ｗ２×（Ｔｍ３−Ｔｍ２）｝＝｛Ｗ２×（Ｔｍ１−Ｔｍ２）｝−｛Ｗ２×Ｔａ｝で、求めることができる。したがって、第１の学習信号によって実行された省エネ制御による省エネ効果は、｛（Ｗ１＋Ｗ２）×（Ｔｍ１−Ｔｍ２）｝−｛Ｗ２×Ｔａ｝で求めることができる。なお、この第１の学習信号によって実行された省エネ制御による省エネ効果は、｛Ｗ１×（Ｔｍ１−Ｔｍ２）｝＋｛Ｗ２×（Ｔｍ１−Ｔｍ３）｝と展開することもできる。
【００３６】
タイミング決定部１４は、上記第１の学習信号による省エネ制御を異なる制御開始時刻ｔ１で複数回行い、各時刻に実行した省エネ制御による省エネ効果を導出する。そして、タイミング決定部１４は、省エネ効果が予め設定された閾値より小さい制御開始時刻ｔ１を、拒絶制御開始時刻に設定する。さらに、タイミング決定部１４は、図５に示すように、制御開始時刻ｔ１から予め設定された判断期間Ｗ１１が経過するまでに引き上げられた目標温度Ｔｍ３が、通常制御時の目標温度Ｔｍ１より高い場合、この制御開始時刻ｔ１も拒絶制御開始時刻に設定する。そして、以降の省エネ制御では、拒絶制御開始時刻に設定された制御開始時刻ｔ１を用いることを禁止した上で、省エネ効果が予め設定された閾値以上である制御開始時刻ｔ１のみを、以降の制御開始時刻として用いる（Ｓ１４）。すなわち、制御部１１は、拒絶制御開始時刻では省エネ制御の開始を禁止され、省エネ効果が大きい制御開始時刻ｔ１のみを省エネ制御に用いる。
【００３７】
このようにして決定された省エネ制御の制御開始時刻ｔ１は、省エネ制御を開始した後における空調機器２の消費電力に基づいて決定されており、ユーザの不快感が小さく、省エネ効果が大きい時刻になる。したがって、本空調制御システムでは、快適性と省エネ効果とを両立させることができる。また、省エネ効果が小さい時刻は、拒絶制御開始時刻に設定し、制御開始時刻ｔ１として用いないので、不要な省エネ制御を抑制でき、ユーザの不満を抑えることができる。
【００３８】
さらに、上記のように決定した制御開始時刻ｔ１を、省エネ効果がより高い時刻に変更することができ、以下、制御開始時刻ｔ１の変更処理について、図６、図７（ａ）〜（ｃ）を用いて説明する。
【００３９】
まず、制御開始時刻ｔ１に目標温度を変更して省エネ制御を行ったとしても、季節、天候、気温、湿度、空間領域内の人数等によっては、省エネ効果が相対的に小さい場合がある。例えば、昼間および夜間に同一の目標温度を設定したとしても、冬季の昼間は、夜間に比べて暖かく、空調機器２の暖房に要する消費電力も夜間に比べて少ない状況にあり、冬季の昼間に空調機器２の目標温度を下げたとしても、省エネ効果は小さい。また、冬季において、部屋内の人数が多い時間帯は、部屋内の人数が少ない時間帯に比べて、空調機器２の暖房に要する消費電力が少ない状況にあり、部屋内の人数が多い時間帯に空調機器２の目標温度を下げたとしても、省エネ効果は小さい。
【００４０】
そこで、タイミング決定部１４は、上記のように第１の学習信号を用いて決定した制御開始時刻ｔ１を含む所定期間Ｗｓ内に複数（図７（ａ）〜（ｃ）では３つ）の制御開始時刻ｔ１１，ｔ１２，ｔ１３を設定する。制御部１１は、制御開始時刻ｔ１１，ｔ１２，ｔ１３のそれぞれより以前に目標温度を通常制御時のＴｍ１に維持しておく。そして、制御部１１は、制御開始時刻ｔ１１，ｔ１２，ｔ１３のそれぞれで、目標温度Ｔｍ２のデータを含む省エネ制御の温度制御信号を送信する（Ｓ２１）。以降、制御開始時刻ｔ１の変更処理のために、所定期間Ｗｓ内で制御部１１が送信する省エネ制御の温度制御信号を、第２の学習信号と称す。
【００４１】
本システムは、空調機器２の消費電力（消費エネルギー）を測定する電力計測部３を設けており、電力計測部３が測定した空調機器２の消費電力データは、空調制御装置１の信号入力部１２へ送信され、学習記憶部１３に格納される。タイミング決定部１４は、学習記憶部１３から、空調機器２の消費電力データを取得することができる。
【００４２】
そして、タイミング決定部１４は、制御開始時刻ｔ１１，ｔ１２，ｔ１３より以前において、空調機器２の消費電力データを電力計測部３から取得している。さらに、タイミング決定部１４は、制御開始時刻ｔ１１，ｔ１２，ｔ１３それぞれの直後においても、空調機器２の消費電力データを電力計測部３から取得する。そして、タイミング決定部１４は、制御開始時刻ｔ１１，ｔ１２，ｔ１３のそれぞれにおいて、制御開始時刻後における消費電力の低減量を算出する（Ｓ２２）。すなわち、目標温度がＴｍ１からＴｍ２に変更される直前（図７（ａ）〜（ｃ）中のＰ１ａ，Ｐ２ａ，Ｐ３ａ時点）での消費電力と、目標温度がＴｍ１からＴｍ２に変更された直後（図７（ａ）〜（ｃ）中のＰ１ｂ，Ｐ２ｂ，Ｐ３ｂ時点）での消費電力との差を算出する。
【００４３】
次に、タイミング決定部１４は、制御開始時刻ｔ１１，ｔ１２，ｔ１３のうち、その前後における消費電力の低減量が最も大きい制御開始時刻を、所定期間Ｗｓ内の新たな制御開始時刻ｔ１に設定する（Ｓ２３）。
【００４４】
このようにして変更された制御開始時刻ｔ１は、省エネ制御による省エネ効果が所定期間Ｗｓ内で最も大きい時刻になる。また、制御開始時刻ｔ１１，ｔ１２，ｔ１３直後の消費電力データを用いるので、制御開始時刻ｔ１の変更処理に要する時間が短くなる。
【００４５】
なお、空調機器２の冷房運転時における空調制御では、制御開始時刻ｔ１に目標温度を上げて省エネ制御を行い、空調機器２の消費電力を低減させることによって、上記同様の効果を得ることができる。
【００４６】
（実施形態２）
本実施形態は、実施形態１における第２の学習信号を用いた制御開始時刻ｔ１の変更処理の別形態であり、図８、図９（ａ）〜（ｃ）を用いて説明する。
【００４７】
まず、タイミング決定部１４は、第１の学習信号を用いて決定した制御開始時刻ｔ１を含む所定期間Ｗｓ内に複数（図９（ａ）〜（ｃ）では３つ）の制御開始時刻ｔ２１，ｔ２２，ｔ２３を設定する。制御部１１は、制御開始時刻ｔ２１，ｔ２２，ｔ２３のそれぞれより以前に目標温度を通常制御時のＴｍ１に維持しておく。そして、制御部１１は、制御開始時刻ｔ２１，ｔ２２，ｔ２３のそれぞれで、目標温度Ｔｍ２のデータを含む省エネ制御の温度制御信号を送信する（Ｓ３１）。以降、制御開始時刻ｔ１の変更処理のために、所定期間Ｗｓ内で制御部１１が送信する省エネ制御の温度制御信号を、第２の学習信号と称す。
【００４８】
本システムは、空調機器２の消費電力（消費エネルギー）を測定する電力計測部３を設けており、電力計測部３が測定した空調機器２の消費電力データは、空調制御装置１の信号入力部１２へ送信され、学習記憶部１３に格納される。タイミング決定部１４は、学習記憶部１３から、空調機器２の消費電力データを取得することができる。
【００４９】
そして、タイミング決定部１４は、制御開始時刻ｔ２１，ｔ２２，ｔ２３より以前において、空調機器２の消費電力データを電力計測部３から取得している。さらに、タイミング決定部１４は、制御開始時刻ｔ２１，ｔ２２，ｔ２３後の各積算期間Ｗ２１，Ｗ２２，Ｗ２３においても、空調機器２の消費電力データを電力計測部３から取得する。そして、タイミング決定部１４は、各積算期間Ｗ２１，Ｗ２２，Ｗ２３において、制御開始時刻後における消費電力の低減量を積算する（Ｓ３２）。すなわち、目標温度がＴｍ１からＴｍ２に変更される直前での消費電力と、目標温度がＴｍ１からＴｍ２に変更された後の各積算期間Ｗ２１，Ｗ２２，Ｗ２３における消費電力との差を積算する（図９（ａ）〜（ｃ）中のハッチング領域Ｐ２１，Ｐ２２，Ｐ２３における消費電力）。なお、各積算期間Ｗ２１，Ｗ２２，Ｗ２３は、互いに同じ時間長さに設定する。
【００５０】
次に、タイミング決定部１４は、制御開始時刻ｔ２１，ｔ２２，ｔ２３のうち、各積算期間Ｗ２１，Ｗ２２，Ｗ２３における消費電力の低減量の積算値が最も大きい制御開始時刻を、所定期間Ｗｓ内の新たな制御開始時刻ｔ１に設定する（Ｓ３３）。
【００５１】
このようにして変更された制御開始時刻ｔ１は、省エネ制御による省エネ効果が所定期間Ｗｓ内で最も大きい時刻になる。また、制御開始時刻ｔ２１，ｔ２２，ｔ２３後の各積算期間Ｗ２１，Ｗ２２，Ｗ２３における消費電力データを用いるので、制御開始時刻ｔ２１，ｔ２２，ｔ２３における省エネ効果の推定精度が向上し、より適切な制御開始時刻ｔ１を設定することができる。
【００５２】
なお、他の構成は、実施形態１と同様であり、説明は省略する。
【００５３】
また、上述の各実施形態において、電力以外のガス、熱等を空調機器２の使用エネルギーとして用いてもよい。
【符号の説明】
【００５４】
１  空調制御装置
１１  制御部
１２  信号入力部
１３  学習記憶部
１４  タイミング決定部
２  空調機器
３  電力計測部
４  手動操作部
【図１】
0005771781.tif 000002
【図２】
0005771781.tif 000003
【図３】
0005771781.tif 000004
【図４】
0005771781.tif 000005
【図５】
0005771781.tif 000006
【図６】
0005771781.tif 000007
【図７】
0005771781.tif 000008
【図８】
0005771781.tif 000009
【図９】
0005771781.tif 000010